(57)【要約】【課題】繰り返して使用することが可能な人工爪造形用シートを提供する。【解決手段】人工爪組成物に対して耐性と硬化後剥離性とを有する合成樹脂で、可撓性を有するように形成され、自然爪の先端部が前縁部１１に掛けられる爪配置孔１が、左右方向における中央部に形成され、左右の両側部１０、１０を互いに係止可能かつ該係止を解除可能な係止手段３、４、５、６が、設けられている人工爪造形用シートＳ。【選択図】図１
2008264087.tif 000002
【特許請求の範囲】
【請求項１】
液状（半流動体状も含む。）の人工爪組成物で自然爪に付加される人工爪を造形する際に用いられる人工爪造形用シートであって、
可撓性を有し、
少なくとも前記人工爪組成物が塗布される表層部が、前記人工爪組成物に対して耐性を有し、かつ、前記人工爪組成物の硬化後剥離性を有する合成樹脂または金属で形成され、
自然爪の先端部が前縁部に掛けられる爪配置孔が、左右方向における中央部に形成され、
左右の両側部を互いに係止可能かつ該係止を解除可能な係止手段が、設けられていることを特徴とする人工爪造形用シート。
【請求項２】
前記人工爪組成物の樹脂成分が、アクリル樹脂からなるもの、または、アクリル樹脂を主体とするものであるとともに、前記人工爪造形用シートがポリオレフィン系樹脂で形成されていることを特徴とする請求項１記載の人工爪造形用シート。
【請求項３】
後端から前方に延びるスリットが、前記爪配置孔を挟んで左右に設けられていることを特徴とする請求項１または２記載の人工爪造形用シート。
【請求項４】
前記係止手段が、前記両側部の前部に設けられた前部係止手段と、前記前部係止手段よりも後方で、かつ、前記スリットの前部よりも側方に設けられた後部係止手段とを有することを特徴とする請求項３記載の人工爪造形用シート。
【請求項５】
前記爪配置孔を左右に２分する２分線から係止位置までの距離を変更可能なように、複数の前記係止手段が設けられていることを特徴とする請求項１、２、３または４記載の人工爪造形用シート。
【発明の詳細な説明】
【技術分野】
【０００１】
本発明は、液状（半流動体状も含む。）の人工爪組成物で自然爪に付加される人工爪を造形する際に用いられる人工爪造形用シートに関する。
【背景技術】
【０００２】
液状の人工爪組成物で自然爪に付加される人工爪を造形する際に用いられる人工爪造形用シートとしては、従来、図６に示すような紙製のものが用いられていた。この人工爪造形用シート１０１は、裏面１０１ｂに粘着性を有する紙製シールで形成されており、爪配置孔１０３の前縁部に利用者の爪（自然爪）Ｎの先端部が掛かるように、爪配置孔１０３に自然爪Ｎを配置して、両側部１０４、１０４を互いに貼着する。この状態で、表面１０１ａに液状の人工爪組成物を塗布し硬化させて、人工爪を造形し、その後、人工爪造形用シート１０１を外して人工爪の仕上げを行う。なお、表面１０１ａには、人工爪からの剥離性を良くするためのコーティングが施されている。
【０００３】
なお、出願人の知る限りにおいて、記載すべき先行技術文献情報は無い。
【発明の開示】
【発明が解決しようとする課題】
【０００４】
しかし、従来の人工爪造形用シート１０１は、紙製で、使い捨てであり、繰り返して使用することができないため、ゴミの発生を招き、コスト高にもつながってしまうという問題があった。
【０００５】
本発明は、上述した問題を解決するものであり、繰り返して使用することが可能な人工爪造形用シートを提供することを目的とする。
【課題を解決するための手段】
【０００６】
本発明の人工爪造形用シートは、液状（半流動体状も含む。）の人工爪組成物で自然爪に付加される人工爪を造形する際に用いられるものであって、可撓性を有し、少なくとも前記人工爪組成物が塗布される表層部が、前記人工爪組成物に対して耐性を有し、かつ、前記人工爪組成物の硬化後剥離性を有する合成樹脂または金属で形成され、自然爪の先端部が前縁部に掛けられる爪配置孔が、左右方向における中央部に形成され、左右の両側部を互いに係止可能かつ該係止を解除可能な係止手段が、設けられていることを特徴とする。
【０００７】
これによれば、表層部が、人工爪組成物に対して耐性を有し、かつ、人工爪組成物の硬化後剥離性を有しており、しかも、係止手段により両側部を係止したりその係止を解除したりできるため、繰り返して使用可能である。
【０００８】
また、前記人工爪組成物の樹脂成分が、アクリル樹脂からなるもの、または、アクリル樹脂を主体とするものである場合には、前記人工爪造形用シートをポリオレフィン系樹脂で形成することができる。
【０００９】
また、後端から前方に延びるスリットが、前記爪配置孔を挟んで左右に設けられていることが好ましい。
【００１０】
これによれば、爪配置孔に爪を係止してシートを撓めて両側部を合わせる際に、スリットが開くので、両側部が合わせ易く、両側部の係止が容易である。
【００１１】
また、前記係止手段が、前記両側部の前部に設けられた前部係止手段と、前記前部係止手段よりも後方で、かつ、前記スリットの前部よりも側方に設けられた後部係止手段とを有することが好ましい。
【００１２】
これによれば、爪配置孔に爪を係止してシートを撓めて両側部を係止した場合に、前部係止手段により両側部の前部が互いに係止されるとともに、後部係止手段により両側部の後部が互いに係止されるので、しっかりとシートを指に装着することができ、作業途中でシートが指から外れる虞が小さい。
【００１３】
また、前記爪配置孔を左右に２分する２分線から係止位置までの距離を変更可能なように、複数の前記係止手段が設けられていることが好ましい。
【００１４】
これによれば、指の太さに応じた係止位置で係止できるので、用意するシートの種類を少なくすることができる。
【発明の効果】
【００１５】
本発明の人工爪造形用シートは、繰り返して使用可能である。
【発明を実施するための最良の形態】
【００１６】
以下、本発明の一実施形態を図面に基づいて説明する。
【００１７】
人工爪造形用シートＳ（以下、「シートＳ」と略す。）は、アクリル樹脂を主成分とする液状の人工爪組成物を用いて人工爪を造形する際に用いられるものである。なお、液状（液体状）とは、半流動体状をも含むものとする。また、液体には、溶液、懸濁液（サスペンション）、乳濁液（エマルション）を含み、半流動体には、スラリー、ゼリー、ペーストを含む。
【００１８】
シートＳは、少なくとも人工爪組成物が塗布される表層部が、その人工爪組成物に対して耐性を有し、かつ、その人工爪組成物の硬化後剥離性を有する合成樹脂または金属で形成されている。ここで、耐性を有するとは、溶解性及び膨潤性を有しないことを言う。本実施形態では、シートＳは、ポリオレフィン系樹脂、具体的には、ポリプロピレン製のシートを切り抜くことにより形成され、図１に示すように略長方形の平板状をなし、可撓性を有している。ここで、可撓性を有するとは、撓めることが可能で、かつ、略元の形状に戻る程度の復元性を有することを言う。なお、自然爪Ｎの形状に追従可能で、かつ、両側部１０、１０を合わせることが可能な程度に可撓性を有すればよい。
【００１９】
なお、可撓性の点から、シートＳの厚みは０．１〜１ｍｍの範囲が望ましい。また、使い易さの点から、シートＳの縦の長さは３．５〜６ｃｍの範囲、横の長さは４〜９ｃｍの範囲が望ましい。本実施形態では、厚みは０．２ｍｍ、縦５ｃｍ、横７．５ｃｍとする。
【００２０】
シートＳには、略卵形をなす爪配置孔１が、左右方向における中央部の後端７寄りに、形成されている。また、シートＳの後端７から前方に、かつ、爪配置孔１に近づくように延びるスリット２、２が、爪配置孔１を挟んで左右に設けられている。
【００２１】
シートＳには、左右の両側部１０、１０を互いに係止可能かつその係止を解除可能な係止手段として、後部係止手段３と、後部係止手段４と、前部係止手段５と、前部係止手段６とが、設けられている。
【００２２】
後部係止手段３は、係止片３ａと係止片３ａを差込可能な係止孔３ｂとからなり、後部係止手段４は、係止片４ａと係止片４ａを差込可能な係止孔４ｂとからなり、前部係止手段５は、係止片５ａと係止片５ａを差込可能な係止孔５ｂとからなり、前部係止手段６は、係止片６ａと係止片６ａを差込可能な係止孔６ｂとからなる。係止片３ａ、４ａ、５ａ、６ａは、いずれも、切り込みにより矢印状に形成され、係止孔３ｂ、４ｂ、５ｂ、６ｂは、いずれも、切り込みにより直線状に形成されている。
【００２３】
前部係止手段５と前部係止手段６とは、いずれも両側部１０、１０の前部に設けられている。また、後部係止手段３及び後部係止手段４は、前部係止手段５及び前部係止手段６よりも後方で、かつ、スリット２、２の前部よりも側方（すなわち、側端８、８寄り）に設けられている。
【００２４】
また、前部係止手段５を用いたときと、前部係止手段６を用いたときとでは、爪配置孔１を左右に２分する２分線Ｌから係止位置までの距離が異なる。後部係止手段３を用いたときと、後部係止手段４を用いたときとでは、２分線Ｌから係止位置までの距離が異なる。
【００２５】
詳しくは、前部係止手段５の係止位置は、２分線Ｌから距離Ｄ１だけ離間した係止孔５ｂの位置であり、前部係止手段６の係止位置は、２分線Ｌから距離Ｄ１より遠い距離Ｄ２だけ離間した係止孔６ｂの位置である。また、後部係止手段３の係止位置は、２分線Ｌから距離Ｄ３だけ離間した係止孔３ｂの位置であり、後部係止手段４の係止位置は、２分線Ｌから距離Ｄ３より遠い距離Ｄ４だけ離間した係止孔４ｂの位置である。
【００２６】
また、シートＳは半透明であり、裏面には、図１及び図２の２点鎖線で示すように、爪配置孔１の前縁部１１から前方に印１２が印刷され、この印１２が表面に透けて視認可能とされている。印１２は、人工爪の長さを決定する目盛りを示すものである。
【００２７】
以上のように構成されたシートＳの作用・効果について、次に説明する。
【００２８】
シートＳを用いて、人工爪を造形するときは、図２に示すように、利用者の爪（自然爪）Ｎの間に爪配置孔１の前縁部１１を差し込むようにして、爪Ｎの先端部を前縁部１１に掛ける。
【００２９】
そして、シートＳを撓め、利用者の指の太さに合わせて、前部係止手段５及び前部係止手段６からいずれかを選択し、後部係止手段３及び後部係止手段４からいずれかを選択して、両側部１０、１０を互いに係止する。図２は、前部係止手段６と後部係止手段４とを選択した場合であり、係止片６ａを係止孔６ｂに差し込むとともに、係止片４ａを係止孔４ｂに差し込むことにより、両側部１０、１０を互いに係止している。
【００３０】
なお、前部係止手段６及び後部係止手段４による係止は、前部係止手段５及び後部係止手段３による係止に比して、係止位置が２分線Ｌに近いので、係止の結果形成されるシートＳの径は、前部係止手段５及び後部係止手段３による係止の結果形成されるシートＳの径に比して、大きいこととなる。したがって、指が細い場合は前部係止手段５及び後部係止手段３、指が太い場合は前部係止手段６及び後部係止手段４を選択すれば、指が細い場合でも作業途中でシートＳが外れる虞が小さく、指が太い場合でも係止できない虞が小さい。また、指の形状によっては、前部係止手段５及び後部係止手段４を選択してもよいし、前部係止手段６及び後部係止手段３を選択してもよい。すなわち、係止手段を選択することにより、１種類のシートＳで種々の指に対応できるので、用意するシートＳの種類が少なくて済む。
【００３１】
また、図２に示すように、スリット２、２が開くので、シートＳを撓めて両側部１０、１０を合わせる際に、指が邪魔になって合わせられないということがなくなり、合わせ易く、係止が容易となり、特に、指が配置されるシートＳの後部における係止（すなわち、後部係止手段３または後部係止手段４による係止）が容易となる。
【００３２】
そして、前部係止手段（図２では、前部係止手段６）により両側部１０、１０の前部が互いに係止されるとともに、後部係止手段（図２では、後部係止手段４）により両側部の後部が互いに係止されるので、しっかりとシートＳを指に装着することができ、作業途中でシートＳが指から外れる虞が小さい。
【００３３】
図２のように、シートＳを指に装着した後、図３に示すように、樹脂成分がアクリル樹脂からなる、または、アクリル樹脂を主体とする液状（半流動体状の場合も含む。）の人工爪組成物Ａを、自然爪Ｎの前部からシートＳの上にかけて塗布する。このとき、印１２を目安として、塗布する範囲を決める。
【００３４】
本実施形態では、人工爪組成物Ａとして、メタクリル酸メチル（ＭＭＡ）（モノマー）に、触媒としてのＮ,Ｎ−ジメチル−ｐ−トルイジン（油状）と、粉状ポリメタクリル酸メチル（ＰＭＭＡ）と、重合開始剤としての過酸化ベンゾイル（ＢＰＯ）とを添加したものを使用する。具体的には、メタクリル酸メチル（ＭＭＡ）（モノマー）とＮ,Ｎ−ジメチル−ｐ−トルイジン（油状）とを含む液体と、粉状ポリメタクリル酸メチル（ＰＭＭＡ）と過酸化ベンゾイル（ＢＰＯ）とを含む粉末とを、塗布直前に混合して使用する。
【００３５】
人工爪組成物Ａは、常温で重合し硬化するので、硬化後、シートＳの係止を解いて、シートＳを取り外す。シートＳは、人工爪組成物Ａの硬化後に対して剥離性を有するので、容易に取り外せる。これにより、図４に示すように、自然爪Ｎに人工爪Ａ１が付加される。この人工爪Ａ１を、必要に応じて研削・研磨し、仕上げを行う。取り外したシートＳは、再度使用可能であり、元の平板状に略戻して保管可能である。
【００３６】
このように、シートＳは、人工爪組成物Ａに対して耐性を有する（すなわち、溶解性も膨潤性も有さない）とともに、人工爪組成物Ａの硬化後剥離性を有する合成樹脂で形成されているため、繰り返して使用可能である。このため、ゴミの発生を低減でき、また、コストの削減にもつながる。
【００３７】
また、印１２はシートＳの裏面に印刷されているので、人工爪組成物Ａにより溶解されて消えたり、繰り返しの使用により消えたりする虞がない。裏面の印１２を視認可能とするために、シートＳは透明乃至半透明とすることが好ましい。
【００３８】
なお、シートＳをポリプロピレン以外のポリオレフィン系樹脂、例えば、ポリエチレンで形成してもよい。ポリオレフィン系樹脂は非極性であるため、極性樹脂であるアクリル樹脂に対して耐性を有し（すなわち、溶解性や膨潤性を有さず）、人工爪Ａ１からの剥離性に優れている。さらに、安価なポリプロピレンやポリエチレンでシートＳを形成すれば、製造コストを低減できる。
【００３９】
また、シートＳをポリオレフィン系樹脂以外の合成樹脂、例えば、フッ素樹脂や、シリコーン樹脂で形成してもよい。要するに、シートＳは、使用される人工爪組成物に対して耐性を有し、かつ、人工爪組成物の硬化後剥離性を有する合成樹脂で形成されていればよい。
【００４０】
さらに、シートＳを複層構造（ラミネート構造）としてもよく、かかる場合には、少なくとも人工爪組成物が塗布される表層部（最上層）を、使用される人工爪組成物に対して耐性を有し、かつ、人工爪組成物の硬化後剥離性を有する合成樹脂で形成すればよい。
【００４１】
また、表層部を、使用される人工爪組成物に対して耐性を有し、かつ、人工爪組成物の硬化後剥離性を有する金属（例えば、銅やアルミニウム）としてもよい。表層部を金属とする場合には、複層構造として下層部に合成樹脂層を設けることにより、シートＳに弾性を持たせて、容易に元の形状に復元可能とすることが好ましい。
【００４２】
また、人工爪組成物としては、上記実施形態に挙げたもの以外に、光重合型のものもあり、例えば、ナチュラルフィールド社のプライマリージェル（商品名）がある。このジェルは、主成分であるポリウレタンアクリルオリゴマーに無機フィラー（無機質の微粒子粉）を混和したペーストに、ベンゾイルアルキルエーテル等のベンゾイル系光増感剤（光重合開始剤）を添加したものであり、上記実施形態と同様に塗布後、ＵＶライトを当てて紫外線硬化（光重合）させる。シートＳは、このジェルに対しても使用可能である。
【００４３】
さらに、人工爪組成物として、アクリル樹脂を主体としないものを用いてもよく、かかる場合にも、シートＳの少なくとも表層部を、その人工爪組成物に対して耐性を有し、かつ、その人工爪組成物の硬化後剥離性を有する合成樹脂または金属で形成すればよい。
【００４４】
また、係止手段の数や位置も、適宜変更可能である。変更例を図５に示す。図５（ａ）は、係止手段が１つの例であり、係止片１４ａと係止孔１４ｂとからなる係止手段１４が設けられている。図５（ｂ）は、２分線Ｌから係止位置までの距離を変更可能なように、係止手段を２つ設けた例であり、係止片１５ａと係止孔１５ｂとからなる係止手段１５と、係止片１６ａと係止孔１６ｂとからなる係止手段１６とが設けられている。図５（ｃ）は、係止手段として、前部係止手段と後部係止手段とを１つずつ設けた例であり、係止片１７ａと係止孔１７ｂとからなる前部係止手段１７と、係止片１８ａと係止孔１８ｂとからなる後部係止手段１８とが設けられている。また、係止片や係止孔の形状も適宜変更可能である。
【００４５】
すなわち、特許請求の範囲を逸脱しない範囲で、本発明は種々の構成を採り得る。
【図面の簡単な説明】
【００４６】
【図１】本発明の一実施形態に係る人工爪造形用シートの平面図である。
【図２】同人工爪造形用シートを指に装着した状態の斜視図である。
【図３】同人工爪造形用シートを指に装着して、人工爪組成物を塗布した状態の斜視図である。
【図４】図３の状態から、同人工爪造形用シートを取り外した状態の斜視図である。
【図５】（ａ）〜（ｃ）は、それぞれ、人工爪造形用シートの変形例である。
【図６】従来の人工爪造形用シートを指に装着した状態の斜視図である。
【符号の説明】
【００４７】
１…爪配置孔
２…スリット
３、４、１８…後部係止手段
５、６、１７…前部係止手段
７…側端
１０…両側部
１１…前縁部
１２…印
１４、１５、１６…係止手段
Ａ…人工爪組成物
Ａ１…人工爪
Ｌ…２分線
Ｎ…自然爪
Ｓ…人工爪造形用シート
【図１】
2008264087.tif 000003
【図２】
2008264087.tif 000004
【図３】
2008264087.tif 000005
【図４】
2008264087.tif 000006
【図５】
2008264087.tif 000007
【図６】
2008264087.tif 000008